(57)【要約】      （修正有）【課題】小火器の激しい長期の使用後でも有効なロックを保証するために、要素の磨耗による隙間を回復する、トリガープレートの小火器のアクション本体への急速ロックシステムを提供する。【解決手段】クロスピース２３を備えたトリガープレート２２の小火器のアクション本体２１への急速ロックシステム３０は、アクション本体と一体のプランジャ４１と、トリガープレート２２と一体でありプランジャ４１と係合するようになった保持手段５０を含み、保持手段５０は、予め規定された円弧を描いて非ロック位置からプランジャ４１との係合部まで回転的に制御され、弾性手段６８が保持手段５０に作用して、保持手段５０とプランジャ４１の間の結合を緊張下に維持する。【選択図】図１
2009024995.tif 000002
【特許請求の範囲】
【請求項１】
クロスピース（２３）を備えたトリガープレート（２２）と小火器のアクション本体（２１）との急速ロックシステム（３０）であって、
前記アクション本体と一体のプランジャ（４１）と、
前記プランジャ（４１）と係合するようになった、前記トリガープレートと一体の保持手段（５０）と、を備え、
前記保持手段（５０）は、予め規定された円弧で、非ロック位置から前記プランジャ（４１）との係合部まで移動するように回転的に制御されており、
さらに、前記保持手段（５０）と前記プランジャ（４１）の間の連結を緊張下に維持するために前記保持手段（５０）に作用する弾性手段（６８）を備えること、
を特徴とする急速ロックシステム。
【請求項２】
前記プランジャ（４１）は、穴（４８）を含み、ネック（４２）が穴から延び、前記保持手段（５０）と係合するようになった球形部分（４３）で終わっている、
請求項１に記載の急速ロックシステム（３０）。
【請求項３】
前記保持手段（５０）は、ブッシュ（５１）の形態をなし、このブッシュには、該ブッシュ（５１）の円周の大部分に延びる横方向のスリット（５２）が設けられており、
前記スリットは、前記プランジャ（４１）のネックの直径よりも僅かに大きい寸法を有し、且つ前記プランジャ（４１）の前記球形部分（４３）を受け入れるようになった球形の座（５３）で終わっている、
請求項２に記載の急速ロックシステム（３０）。
【請求項４】
前記球形の座（５３）は、ブッシュを回転させることによってプランジャがブッシュによって引っ張られるように、ブッシュの回転中心（Ｃ１）に対して変化する湾曲形態の内面（５４）を有している、
請求項３に記載の急速ロックシステム（３０）。
【請求項５】
ブッシュ（５１）の正面には、ロックキー（７０）の頭を受け入れるための、星形若しくは五角形又は同様の形状を有する有形部（６７）がある、
請求項３に記載の迅速なロックシステム（３０）。
【請求項６】
前記ブッシュ（５１）は、円周縁に沿って環状のスロート（６６）を有し、このスロートは対応物（５６）と接触するのに適したストップ（６１）で終わり、このストップ（６１）は、プランジャの挿入を可能にするために、システムの非ロック位置でブッシュの回転を妨げるようになっている、
請求項５に記載の迅速なロックシステム（３０）。
【請求項７】
前記弾性手段（６８）は、ブッシュを弾性的に押圧保持するための三日月形態に造られ、ブッシュの円形輪郭の一部分をコピーするようになった弾性材料から作られ、三日月形態（６８）は、プランジャ（４１）の球形部分（４３）及びネック（４２）を通すための穴（６９）を有する、
請求項１に記載の急速ロックシステム。
【請求項８】
前記プランジャ（４１）は、横向きのピン（４４）を挿入するための穴（４８）、及びプランジャの前記トリガープレート（２２）への挿入を容易にするために、さらにトリガープレートをアクション本体（２１）に固定するためにトリガープレートが果たさなければならない回転に追従するためにプランジャを揺動させる巻きバネ（４５）を有し、
前記アクション本体（２１）は、開口（４６）を備え、この開口は、プランジャ（４１）を担持するピン（４４）を収容する穴（４７）を壁に備える、
請求項２に記載の急速ロックシステム。
【請求項９】
前記アクション本体（２１）は、開口（４６）を備え、この開口は、プランジャ（４１）を担持するピン（４４）を収容する穴（４７）を壁に備えた、
請求項８に記載の急速ロックシステム（３０）。
【請求項１０】
アクション本体の方向に、トリガープレートに対して略垂直に延びた前記クロスピース（２３）は、上側からプランジャ（４１）の球形部分（４３）及びネック（４２）を上から受け入れるためのダクト（６０）を有し、さらに背面に沿って、保持手段（５０）と弾性手段（６８）を収容するためのキャビティ（５９）を有する、
請求項９に記載の急速ロックシステム（３０）。
【請求項１１】
略楕円であり、且つ狭められた前記キャビティ（５９）は、前記プレートに固定することができる銃床のタイロッド（２４）の係合穴（５７）の上の位置に位置決めされており、
前記キャビティ（５９）は、外縁に沿ってリング形ストッププレート（５０）を受け入れるのに適した有形環状溝（５８）を有し、ストッププレートから対応部（５６）が延び、
前記ストッププレート（５５）は、溝（５８）内に保持されるように、且つタイロッドと保持手段の回転を制限して、保持手段（５０）を穴（５９）内に保持するように、銃床のタイロッド（２４）の終端部分に挿入されるようになっている、
請求項１０に記載の急速ロックシステム（３０）。
【請求項１２】
トリガープレート（２２）のアクション本体（２１）への組み立てのためには、トリガープレートにはクロスピース（２３）の反対側の端の近くにアクション本体の対応する肩（２６）にヒンジ止めされるための突起部（２５）があり、
一対の丸形フラップ（２７）がクロスピース（２３）の頂部から突出し、アクション本体（２１）の両側に対称に配置された、対応する座（４９）に挿入されるようになっている、
請求項１に記載の急速ロックシステム（３０）。
【発明の詳細な説明】
【技術分野】
【０００１】
本発明は、トリガープレートの小火器のアクション本体への急速ロックシステムに関する。
【０００２】
具体的には、本発明は、ショットガン又は競技用ライフル、即ち重畳又は並列ライフル、一般には排他的ではないが、スイングライフルのような長い小火器用の急速ロックシステムに関する。
【背景技術】
【０００３】
長い小火器では、一方の側にバレルが連結され、他方の側にストックが連結される、小火器の中心部品を表すアクション本体ユニットが、別々の組み立て可能な要素として生産されるアクション本体及びトリガープレートを含むことが知られている。
【０００４】
公知技術によれば、この組み立ては、ねじシステムによって実施される。
【０００５】
或る数の射撃及びメンテナンス作業後、妨害物は有効でなくなり、トリガープレートとアクション本体間の緊張を回復させる必要がある。
【発明の開示】
【発明が解決しようとする課題】
【０００６】
或る数の射撃及びメンテナンス作業後、妨害物は有効でなくなり、トリガープレートとアクション本体間の緊張を回復させる必要がある。
【０００７】
従って、出願人は、時間について効果的である、トリガープレートの小火器のアクション本体への組立体をどのようにして生産するかの問題を検討した。
【課題を解決するための手段】
【０００８】
出願人は、トリガープレートの小火器のアクション本体への急速ロックシステムを設けることによって上記の問題を解決した。
【０００９】
本発明の主な目的は、小火器の激しい長期の使用後でも有効なロックを保証するために、要素の磨耗による隙間を回復する、トリガープレートの小火器のアクション本体への急速ロックシステムを提供することにある。
【００１０】
本発明による、これらの目的及び他の目的は、請求項１に特定されているトリガープレートの小火器のアクション本体への急速ロックシステムによって達成される。
【００１１】
更なる特徴を従属項に示す。
【００１２】
本発明による、トリガープレートのアクション本体への急速ロックシステムは、トリガープレートと一体の保持手段によって係合されるのに適したアクション本体と一体のプランジャを含み、前記保持手段は、予め規定された円弧を描いて非ロック位置からプランジャとの係合部まで通るように回転的に制御され、保持手段とプランジャの間の係合を緊張下に保持するために前記保持手段に作用する弾性手段がある。
【発明を実施するための最良の形態】
【００１３】
本発明によるトリガープレートの小火器のクション本体への急速ロックシステムの特徴及び利点は、概略図面を参照して以下の例示的で非限定的な説明より明らかになる。
図面を参照して、小火器１０が、アクション本体２１及びトリガープレート２２を備えるアクション本体ユニット２０を有し、トリガープレートは、トリガープレート２２とアクション本体２１の障害物のために定められたクロスピース２３を有する。
【００１４】
クロスピース２３から延びるストックボルト２４が、小火器（図示せず）のストックと係合するように、ねじ止めによってクロスピース２３に取り付けられる。
【００１５】
本発明によるトリガープレート２２の小火器のアクションボディ２０への急速ロックシステム３０は、アクション本体と一体に形成され、トリガープレートと一体の保持手段５０によって係止されるようになったプランジャ４１を含み、前記保持手段５０は、予め規定された円弧を描いて非ロック位置からプランジャ４１との係合部まで通るように回転的に制御される。
【００１６】
弾性手段６８も想定され、弾性手段は、保持手段に作用して保持手段５０とプランジャ４１との間の係合を緊張下に維持する。
【００１７】
プランジャ４１は、横方向ピン４４の挿入のための孔４８、及びトリガープレート２２へのプランジャの挿入を容易にし、且つトリガープレートの回転を追従してアクション本体に固定するためにプランジャ４１を揺動させる渦巻きバネ４５を備える。
【００１８】
この点において、アクション本体は、壁に、ピン４４を収容する穴４７を有する開口４６を備え、この開口内にプランジャ４１が組み立てられる。
【００１９】
アクション本体２１をトリガープレート２２に組み立てるために、トリガープレートには、クロスピースの反対側の端の近くに突起部２５が設けられており、この突起部は、アクション本体の対応する肩２６にヒンジ止めされ、協同してヒンジを形成し、トリガープレートをロック位置に移動させるためにトリガープレートを、ヒンジを中心に回転させる。
【００２０】
ロックは、湾曲したフラップ２７の係合によって確保され、このフラップは、クロスピース２３の頂部から突出し対応する座４９に挿入され、この座は、アクション本体２１の両側に対称的に配置されている。
【００２１】
保持手段５０と係合するようになった球形部分４３で終わるネック４２が、プランジャ４１から延びている。
【００２２】
トリガープレートと略垂直にアクション本体の方向に延びるクロスピース２３は、端に二つのフラップ２７を有し、このフラップ２７の間には、プランジャ４１の球体部４３及びネック４２を上方から受け入れるためのダクト６０があり、さらに背面に沿ってキャビティ３９を有し、このキャビティは、保持手段５０と弾性手段６８を保持する。
【００２３】
キャビティ３９は、略楕円形であり、三日月６８の形態をなした弾性手段を受け入れるために上部分が狭められており、ストックボルト２４の係合穴５７の上の位置に配置され、リング形ストップスペーサ５５を受け入れるのに適した環状溝５８が外縁に沿って形成されており、このストップスペーサからは対応物５６が延びる。
【００２４】
保持手段５０は、ブッシュ５１の形態であり、ブッシュ５１はその円周の大部分の間延びる横断スリット５２を有する。
【００２５】
スリット５２は、プランジャ４１のネックの径よりも僅かに大きい寸法を有し、プランジャ４１の球形部分４３を受け入れるようになった球形の座５３で終わる。
【００２６】
図６ａ、６ｂ、７ａ、７ｂを特に参照すると、球形の座５３の内面５４は、ブッシュの回転中心Ｃ１に関して変化する湾曲の形態をなしていることに気づくべきである。
【００２７】
これにより、開放位置から閉鎖位置に移ることによって、ブッシュ５１の一部に球形部分４３の引っ張力が加えられる。
【００２８】
プランジャ４１は、ブッシュを引っ張り、これにより三日月６８を弾性的に圧縮する。
【００２９】
プランジャをロックしない完全な開放位置から、完全ロック位置に移るときに、球形座５４の軸Ａ２の下に配置されるブッシュ５１の回転軸Ａ１は、軸Ａ２の上に移り約0.4ｍｍの平行移動を行い、これは、急速ロック引っ張り中に加えられるロック変形に相当する。
【００３０】
これにより、トリガープレートとアクション本体は、急速速且つ一体的に組み立てられる。
【００３１】
ブッシュ５１の正面には、一旦球形部分４３を約１８０度の円弧のスリット５２に配置して、プランジャ４１を挿入したら、ブッシュ５１を回転することによって急速ロックを行うため、キー７０の頭を受け入れるための星形若しくは五角形、又は同様の形を有する窪み６７がある。
【００３２】
ブシュ５１の外縁に沿って、対応物５６を受け入れるための環状スロート６７があり、対応物５６と接触するのに適したストップ６１で終わっている。
【００３３】
具体的には、ストップ６１は、システムの非ロック位置でブシュの回転を妨げ、かくしてプランジャ４１の挿入を可能にする。妨害物の限度移動の終わりは、プランジャ４１の脚４２とブッシュ５０の接触によってもたらされる（図７ａ）。
【００３４】
弾性手段６８は、ブッシュを弾性的に押圧保持するために、ブッシュの円形輪郭の一部分をコピーするための弾性材料で作られた三日月の形態に造られる。
【００３５】
三日月６８は、プランジャ４１の球形部分４３及びネック４２を通すための穴６９を有する。
【００３６】
本発明によるシステムは、好ましくは旋回用バレルを有するライフルのような長い小火器、すなわち小火器の開放がアクション本体に関してバレルの回転によって引き起こされるもの、又は固定バレルの半自動小火器に組み立てることができ平滑なバレルを有するスポーツタイプのもの（例えば、積層式若しくは並列式又はシングルバレル銃）でもよい小火器の種類について制限されることなく、組み立てることもできる。
【図面の簡単な説明】
【００３７】
【図１】本発明によるロックシステムの分解斜視図である。
【図２】長い小火器のアクション本体を持ち上げた概略の側断面図であり、本発明による、非ロック位置にあるロックシステムを備えている。
【図３】図２の線III-IIIによるレシーバーチャンバの前部を示す。
【図４】長い小火器のアクション本体を持ち上げた部分側断面図であり、本発明による、ロック位置にあるロックシステムを備えている。
【図５】図４の線V-Vによるアクション本体ユニットの前部を示す。
【図６ａ】図６ｂの線N-Nによる、背面からの部分前断面を示し、アクション本体ユニットのクロスピース及び保持手段が開放位置にあるのを示す。
【図６ｂ】アクション本体ユニットのクロスピースと保持手段が開放位置にある側断図を示す。
【図７ａ】図７ｂの線R-Rによる、背面からの部分前部断面を示し、アクション本体ユニットのクロスピース及び保持手段が開放位置にあるのを示す。
【図７ｂ】アクション本体ユニットのクロスピースと保持手段が開放位置にあるの側断面を示す。
【図１】
2009024995.tif 000003
【図２】
2009024995.tif 000004
【図３】
2009024995.tif 000005
【図４】
2009024995.tif 000006
【図５】
2009024995.tif 000007
【図６ａ】
2009024995.tif 000008
【図６ｂ】
2009024995.tif 000009
【図７ａ】
2009024995.tif 000010
【図７ｂ】
2009024995.tif 000011
【外国語明細書】
2009024995.tif 000012
2009024995.tif 000013
2009024995.tif 000014
2009024995.tif 000015
2009024995.tif 000016
2009024995.tif 000017
2009024995.tif 000018
2009024995.tif 000019
2009024995.tif 000020
2009024995.tif 000021
2009024995.tif 000022
2009024995.tif 000023
2009024995.tif 000024
2009024995.tif 000025
2009024995.tif 000026
2009024995.tif 000027
2009024995.tif 000028
2009024995.tif 000029
2009024995.tif 000030
2009024995.tif 000031